(57)【特許請求の範囲】
【請求項１】
外壁で囲まれた内部に中仕切りを設けた雨水等貯留浸透槽であって、
前記外壁と前記中仕切りは、ポーラスコンクリートで製造された角棒状のコンクリートブロックで構築されており、
前記コンクリートブロックは、その両端部において、同一方向に連設するコンクリートブロックの端部同士を嵌合させる連接係合部と、
直交方向に配置するコンクリートブロックの端部同士を嵌合させる直交係合部とを有している
ことを特徴とする雨水等貯留浸透設備。
【請求項２】
前記外壁は、複数のコンクリートブロックを上下に複数段積み重ね、かつ幅方向に複数列連設して構成され、
前記中仕切りは、複数のコンクリートブロックを隣接する上下段で互いに直交するように配置して構成されている
ことを特徴とする請求項１記載の雨水等貯留浸透設備。
【請求項３】
前記コンクリートブロックは、上面に他のコンクリートブロックと嵌合する嵌合凸部が形成され、下面に他のコンクリートブロックと嵌合する嵌合凹部が形成されている
ことを特徴とする請求項２記載の雨水等貯留浸透設備。
【請求項４】
前記コンクリートブロックは、側面に凹凸面が形成されている
ことを特徴とする請求項３記載の雨水等貯留浸透設備。
【発明の詳細な説明】
【技術分野】
【０００１】
本発明は、雨水等貯留浸透設備に関する。さらに詳しくは、大雨による災害を回避したり、自然の水循環の円滑化のため、雨水やその他路面上の水（以下、雨水等という）を一時的に地面下に貯留してその雨水等を地中へ浸透させる雨水等浸透設備が開発されている。これらの設備は、学校の校庭を利用した貯留や地下貯留管、地下調整池による貯留、雨水浸透ます・浸透トレンチによる雨水浸透などとして利用しているが、本発明はこのような雨水等貯留浸透設備に関する。
【背景技術】
【０００２】
従来の雨水等浸透設備は、コンクリート製よりもプラスチック製が多い。しかし、プラスチック製は、つぎのような課題がある。たとえば、都市部のように限られた広さの中で流出抑制を図る場合、どうしても雨水等浸透設備は深い構造にせざるを得ないが、その際に問題となるのが地下水位であり、降雨などにより地下水位が上昇するとプラスチック製の貯留槽には浮力が働きやすくなる。また水平方向の荷重に弱いため、土砂を埋め戻す際に偏荷重がかかるとジョイント部に荷重が集中しやすいといった欠点もある（非特許文献１参照）。
【先行技術文献】
【非特許文献】
【０００３】
【非特許文献１】週刊ブロック通信「雨水貯留浸透製品特集」２〜３頁  平成２２年１１月８日刊
【発明の概要】
【発明が解決しようとする課題】
【０００４】
本発明は上記事情に鑑み、荷重による変形損壊や地下水による浮き上り等の問題が生じず、長期にわたって貯留浸透機能を果たせる雨水等貯留浸透設備を提供することを目的とする。
【課題を解決するための手段】
【０００５】
第１発明の雨水等貯留浸透設備は、外壁で囲まれた内部に中仕切りを設けた雨水等貯留浸透槽であって、前記外壁と前記中仕切りは、ポーラスコンクリートで製造された角棒状のコンクリートブロックで構築されており、前記コンクリートブロックは、その両端部において、同一方向に連設するコンクリートブロックの端部同士を嵌合させる連接係合部と、直交方向に配置するコンクリートブロックの端部同士を嵌合させる直交係合部とを有していることを特徴とする。
第２発明の雨水等貯留浸透設備は、第１発明において、前記外壁は、複数のコンクリートブロックを上下に複数段積み重ね、かつ幅方向に複数列連設して構成され、前記中仕切りは、複数のコンクリートブロックを隣接する上下段で互いに直交するように配置して構成されていることを特徴とする。
第３発明の雨水等貯留浸透設備は、第２発明において、前記コンクリートブロックは、上面に他のコンクリートブロックと嵌合する嵌合凸部が形成され、下面に他のコンクリートブロックと嵌合する嵌合凹部が形成されていることを特徴とする。
第４発明の雨水等貯留浸透設備は、第３発明において、前記コンクリートブロックは、側面に凹凸面が形成されていることを特徴とする。
【発明の効果】
【０００６】
第１発明によれば、つぎの効果を奏する。
ａ）コンクリートブロックの組合せのみで外壁と中仕切りの構築可能であり、長く連設することにより大きい貯水空間を確保できる。また、コンクリートブロックは比重が重いので、地下水位の浮力が作用しても浮き上るような不都合は生じない。さらに、ポーラスコンクリートの使用により外壁に透水性を与えるので、浸透槽に利用するとき透水シートが不要となる。
ｂ）コンクリートブロックの両端に形成した連接係合部と直交係合部によって、隣接するコンクリートブロックの係合が外れにくいので、外力に対する抵抗力が高く長期にわたって貯留浸透槽の機能を果たせる。また、四角形に限らず平面的に形状を変化させた多角形での設置が可能である。
第２発明によれば、中仕切りは隣接する上下段で互いに直交させた結果、上下段の間で空間ができ、連続した大きな内部空間ができる。このため、設置面積が同じでも大きな貯水量を確保できる。
第３発明によれば、嵌合凸部と嵌合凹部が互いに嵌合するので上下の隣接段のコンクリートブロック同士の自由な動きが拘束されるので、積み重ねただけでも外壁や中仕切りが崩れないように構築できる。
第４発明によれば、外壁に用いたコンクリートブロックの側面の凹凸が地中で振動等の外力に対する抵抗となるので、槽構造が崩れにくい。
【図面の簡単な説明】
【０００７】
【図１】本発明の一実施形態に係る雨水等貯留浸透設備ＲＰの斜視図である。
【図２】図１の雨水等貯留浸透設備ＲＰの部分拡大図である。
【図３】角棒ブロック１０の説明図であって、（Ａ）は平面図、（Ｂ）は正面図、（Ｃ）は側面図である。
【図４】角棒ブロック２０の説明図であって、（Ａ）は平面図、（Ｂ）は正面図、（Ｃ）は側面図である。
【図５】角棒ブロック３０の説明図であって、（Ａ）は平面図、（Ｂ）は正面図、（Ｃ）は側面図である。
【図６】角棒ブロック４０の説明図であって、（Ａ）は平面図、（Ｂ）は正面図、（Ｃ）は側面図である。
【図７】蓋ブロック５０の説明図であって、（Ａ）は平面図、（Ｂ）は正面図、（Ｃ）は側面図である。
【図８】雨水等貯留浸透設備を構築する下段ブロック連接構造の説明図である。
【図９】雨水等貯留浸透設備を構築する上段ブロック連接構造の説明図である。
【図１０】雨水等貯留浸透設備を調整池Ａとして利用した実施形態の説明図である。
【図１１】雨水等貯留浸透設備を浸透型調整池Ｂとして利用した実施形態の説明図である。
【図１２】雨水等貯留浸透設備を雨水利用貯留施設Ｃとして利用した実施形態の説明図である。
【発明を実施するための形態】
【０００８】
つぎに、本発明の実施形態を図面に基づき説明する。
（基本構造）
図１により本発明に係る雨水等貯留浸透設備ＲＰの基本構造を説明する。本発明の雨水等貯留浸透設備ＲＰは、四角形その他の多角形に形作られた立体構造物である。
Ｗは外壁であり、角棒状のコンクリートブロック（以下、角棒ブロックｂという）を上下に複数段積み重ね、かつ幅方向に複数列連設して構成されている。
Ｓは中仕切りであり、角棒ブロックを隣接する上下段では直交するように積み上げて構成されている。
Ｒは蓋であり、平面状の板ブロックを複数枚載せて構成している。
【０００９】
図２により明瞭に示すように、中仕切りＳ用の角棒ブロックｂは上下方向に隣接する段では、互いに直交して積み上げている。このため、上下の段の間には隙間が生じており、この隙間は互いに直交する方向に空いている。しかも、この隙間は角棒ブロックｂよりも少し長さが短いだけの大きな空間ｈである。このため、槽内の貯留体積を大きくすることができる。
しかも、中仕切りＳ用の角棒ブロックｂは外壁Ｗ、Ｗ同士を連結して、槽構造の強度を高く維持することができる。
【００１０】
つぎに、外壁Ｗと中仕切りＳを構成する角棒ブロックを説明する。図３および図４に示す角棒ブロック１０，２０は２種の長尺ブロックを示し、図５および図６に示す角棒ブロック３０，４０は２種の短尺ブロックを示している。
本発明の雨水等貯留浸透設備ＲＰは、長尺ブロック１０，２０のみで構成することもでき、短尺ブロック３０，４０のみでも構成でき、長尺ブロック１０，２０と短尺ブロック３０，４０を組合せても構成できる。
長尺ブロック１０，２０を用いると雨水等貯留浸透設備ＲＰを大きく構築しやすい。短尺ブロック３０，４０を用いると雨水等貯留浸透設備ＲＰを小さく構築しやすい。長尺ブロック１０，２０と短尺ブロック３０，４０を組合せると、複雑な形状の雨水等貯留浸透設備ＲＰを構築しやすい。
【００１１】
（長尺ブロック）
図３は、長尺の角棒ブロック１０を示している。長さや幅、高さに制限はないが、施工の便からは長さが１ｍ位が好ましく、幅と高さは長さの１／４〜１／３位が好ましい。
角棒ブロック１０の両端部には、連設係合部としての台形の凸部１１が一方に、台形の凹部１２が他方に形成されている。
また、凸部１１と凹部１２の両側に、他の角棒ブロック凸部１１と係合する係合凹部１３，１３が直交係合部として形成されている。
そして、上面には上段側ブロックの底面と嵌合させる嵌合凸部１４が形成され、下面には、下段側ブロックの天面と嵌合させる嵌合凹部１５が形成されている。係合凸部１４と係合凹部１５の数は１６個であるが、個数は任意である。
また、両側面には、数本、たとえば３本の縦凹部１６が形成されている。
【００１２】
図４は長尺の角棒ブロック２０を示している。長さや幅、高さに制限はないが、施工の便からは長さが１ｍ位が好ましく、幅と高さは長さの１／４〜１／３位が好ましい。
角棒ブロック２０の両端部には、連設係合部としての台形の凸部２１が一方に、台形の凸部２２が他方に形成されている。
また、凸部２１と凸部２２の両側に、他の角棒ブロック凸部２１と係合する係合凹部２３，２３が直交係合部として形成されている。
そして、上面には上段側ブロックの底面と嵌合させる嵌合凸部２４が形成され、下面には、下段側ブロックの天面と嵌合させる嵌合凹部２５が形成されている。係合凸部２４と係合凹部２５の数は１６個であるが、個数は任意である。
また、両側面には、数本、たとえば３本縦凹部２６が形成されている。
【００１３】
（短尺ブロック）
図５は短尺の角棒ブロック３０を示している。長さや幅、高さに制限はないが、施工の便からは長さが500mm位が好ましく、幅と高さは長さの１／４〜１／３位が好ましい。
角棒ブロック３０の両端部には、連設係合部としての台形の凸部３１が一方に、台形の凹部３２が他方に形成されている。
また、凸部３１と凹部３２の両側に、他の角棒ブロック凸部３１と係合する係合凹部３３，３３が直交係合部として形成されている。
そして、上面には上段側ブロックの底面と嵌合させる嵌合凸部３４が形成され、下面には、下段側ブロックの天面と嵌合させる嵌合凹部３５が形成されている。係合凸部３４と係合凹部３５の数は８個であるが、個数は任意である。
また、両側面には、１本の縦凹部３６が形成されている。
【００１４】
図６は短尺の角棒ブロック４０を示している。長さや幅、高さに制限はないが、施工の便からは長さが300mm位が好ましく、幅と高さは長さの１／４〜１／３位が好ましい。
角棒ブロック４０の両端部には、連設係合部としての台形の凸部４１が一方に、台形の凸部４２が他方に形成されている。
また、凸部４１と凸部４２の両側に、他の角棒ブロック凸部４１と係合する係合凹部４３，４３が直交係合部として形成されている。
そして、上面には上段側ブロックの底面と嵌合させる嵌合凸部４４が形成され、下面には、下段側ブロックの天面と嵌合させる嵌合凹部４５が形成されている。係合凸部４４と係合凹部４５の数は４個であるが、個数は任意である。
また、両側面には、１本の縦凹部４６が形成されている。
【００１５】
（蓋ブロック）
図７に基づき蓋ブロック５０を説明する。
蓋ブロック５０は、平面視で四角形であり、一定の厚みのあるブロックである。蓋ブロックの下面には、角棒ブロックの嵌合凸部１４〜４４に嵌合する嵌合凹部５５が形成されている。
なお、蓋ブロック５０を含め各角棒ブロック１０〜４０の上面には吊上げ金具を螺着するためのナットが埋め込まれている。
【００１６】
（ポーラスコンクリート）
上記の角棒ブロック１０，２０，３０，４０および蓋ブロック５０は、ポーラスコンクリートで構成されている。
ポーラスコンクリートは、連続した気孔が多数形成されている多孔性のコンクリートである。したがって、角棒ブロック１０，２０，３０，４０や蓋ブロック５０のブロック内を通じて水分が通過することができる。
【００１７】
（角棒ブロックの組立て構造）
角棒ブロックの組立て構造を図８および図９に基づき説明する。
図８は下段側の角棒ブロックの配置を示しており、太実線が同一段での配置ブロックを示している。図９は上段側の角棒ブロックの配置を示しており、太実線が同一段での配置ブロックを示している。
図８および図９を見比べると分かるように、外壁１には、角棒ブロック１０，２０を上下に複数段積み重ねられている。したがって、外壁には大きな隙間はなく、土砂等が入ることはない。そして、中仕切りブロックは上段側の角棒ブロック１０と下段側の角棒ブロック１０は、直交して配置されており、上下に隣接する各段の角棒ブロック１０，１０は両端部においてのみ積み重ねられ、既述の嵌合凸部１４〜４４と嵌合凹部１５〜４５が互いに嵌合している。このような積み重ね形態のため、上下の角棒ブロック１０，１０の間は１本の角棒ブロックの体積にほぼ相当する空間があいている。ただし、角棒ブロックの両端部は積み重ねられた部分であり、この部分は隙間とはならないが、体積は小さく、あいている空間は充分大きなものである。
【００１８】
以上のような構造であるので、本実施形態のブロック構造体は、角棒ブロック１０〜４０の両端に形成した連接係合部１１〜４１、１２〜４２と直交係合部１３〜４３によって、隣接する角棒ブロック１０〜４０の係合が外れにくいので、外力に対する抵抗力が高く長期にわたって貯留浸透槽の機能を果たせる。
また、図８および図９に示すように、四角形に限らず平面的に形状を変化させた多角形での設置が可能である。
そして、図２に示すように、中仕切りの角棒ブロック１０，１０は上下の隣接段で互いに直交させた結果、上下段の間で空間ができ、連続した大きな内部空間ができる。このため、設置面積が同じでも大きな貯水量を確保できる。さらに、外壁に用いた角棒ブロック１０，２０の側面の縦凹部１６〜４６が地中で振動等の外力に対する抵抗となるので、槽構造が崩れにくい。
【００１９】
つぎに、雨水等貯留浸透設備の各利用形態を説明する。
（調整池）
図１０に基づき、調整池としての利用形態を説明する。
調整池Ａは、本発明の雨水等貯留浸透設備で構成されている。
調整池Ａは適当な部位に流入管６１を介して流入桝６２が接続されている。また、別の適当な部位に連通管６３を介して流出桝６４が接続されており、流出桝６４には流出管６５が接続されている。
なお、調整池Ａと流出桝６４の間にオーバフロー管６６も接続されている。
図示の調整池Ａは、上面は透水シート７１で覆われており、底面と外側面が、保護シート７２と遮水シート７３と保護シート７４の３層シートで囲まれている。この状態で、調整池Ａは基礎砕石７５上の均しコンクリート７６に設置されている。
【００２０】
（浸透型調整池）
図１１に基づき、浸透型調整池としての利用形態を説明する。
浸透型調整池Ｂは本発明の雨水等貯留浸透設備で構成されている。
浸透型調整池Ｂは適当な部位に流入管６１を介して流入桝６２が接続されている。また、別の適当な部位にオーバフロー管６６を介して流出桝６４が接続されており、流出桝６４には流出管６５が接続されている。
図示の浸透型調整池Ｂは、透水シート７１で覆われている。この状態で、浸透型調整池Ｂは基礎砕石７５上に設置されている。なお、全ての角棒ブロックはポーラスコンクリートであるので、槽自体が透水性がある。このため透水シートを用いなくてもよい。
【００２１】
（雨水利用貯留施設）
図１２に基づき、雨水利用貯留施設としての利用形態を説明する。
雨水利用貯留施設Ｃは本発明の雨水等貯留浸透設備で構成されている。
雨水利用貯留施設Ｃは適当な部位に流入管６１を介して流入桝６２が接続されている。また、別の適当な部位にオーバフロー管６６を介して流出桝６４が接続されており、流出桝６４には流出管６５が接続されている。そして、雨水利用貯留施設Ｃの内部には雨水を汲み出すポンプ６７が接続されている。
図示の雨水利用貯留施設Ｃは、上面は透水シート７１で覆われており、底面と外側面が、保護シート７２と遮水シート７３と保護シート７４の３層シートで囲まれている。この状態で、雨水利用貯留施設は基礎砕石７５上の均しコンクリート７６に設置されている。
【産業上の利用可能性】
【００２２】
本発明の雨水等貯留浸透設備ＲＰは、上記した調整池Ａや浸透型調整池Ｂや雨水利用貯留施設Ｃ以外にも雨水等を貯留するのであれば種々の用途に利用できる。
【符号の説明】
【００２３】
ＲＰ    雨水等貯留浸透設備
Ｗ    外壁
Ｓ    中仕切り
Ａ    調整池
Ｂ    浸透型調整池
Ｃ    雨水利用貯留施設
１０    角棒ブロック
２０    角棒ブロック
３０    角棒ブロック
４０    角棒ブロック
【図３】
0005620850.tif 000002
【図４】
0005620850.tif 000003
【図５】
0005620850.tif 000004
【図６】
0005620850.tif 000005
【図７】
0005620850.tif 000006
【図８】
0005620850.tif 000007
【図９】
0005620850.tif 000008
【図１０】
0005620850.tif 000009
【図１１】
0005620850.tif 000010
【図１２】
0005620850.tif 000011
【図１】
0005620850.tif 000012
【図２】
0005620850.tif 000013